(57)【要約】      （修正有）【課題】光ファイバ屋外線、メタル屋外線、アース線などの複数の屋外線を、まとめて良好に把持し、建物の外部壁面などに固定することができる配線固定具を提供する。【解決手段】配線把持部材２上にヒンジ部４を介して押え蓋部３が開閉可能に配線把持部材２と一体に設けられる。押え蓋部３の先端に係止爪１０が配線把持部材側に係止可能に設けられ、配線把持部材２と押え蓋部３に固定孔７，８が設けられる。配線把持部材２の上面と押え蓋部３の内側面に、光ファイバ屋外線を把持する光ファイバ把持用凹部２１、３１及びその支持線を把持する支持線用凹部２１ａ、３１ａが設けられる。メタル屋外線を把持するメタル線把持用凹部２２，３２及びその支持線を把持する支持線用凹部２２ａ，３２ａが平行に設けられる。【選択図】図３
0003123194.tif 000002
【実用新案登録請求の範囲】
【請求項１】
配線把持部材上にヒンジ部を介して押え蓋部が開閉可能に該配線把持部材と一体に設けられ、該押え蓋部の先端に係止爪が該配線把持部材側に係止可能に設けられ、該配線把持部材と該押え蓋部に固定孔が設けられてなる配線固定具において、
該配線把持部材の上面と該押え蓋部の内側面に、第１の線材を把持する第１線材把持用凹部と該第１の線材の支持線を把持する支持線用凹部、及び第２の線材を把持する第２線材把持用凹部と該第２の線材の支持線を把持する支持線用凹部が平行に設けられたことを特徴とする配線固定具。
【請求項２】
前記第１線材把持用凹部として、光ファイバ屋外線を把持する光ファイバ把持用凹部が形成されたことを特徴とする請求項１記載の配線固定具。
【請求項３】
前記第２線材把持用凹部として、メタル屋外線を把持するメタル線把持用凹部が形成されたことを特徴とする請求項１記載の配線固定具。
【請求項４】
前記第１線材把持用凹部として、光ファイバ屋外線を把持する光ファイバ把持用凹部が形成され、且つ前記第２線材把持用凹部として、メタル屋外線を把持するメタル線把持用凹部が形成され、該光ファイバ把持用凹部と該メタル線把持用凹部が、前記固定孔を挟んで該固定孔の両側に配置されたことを特徴とする請求項１記載の配線固定具。
【請求項５】
前記第２の線材の支持線を把持する支持線用凹部がアース線を把持可能に形成され、前記第１線材把持用凹部がアース線を把持可能に形成されたことを特徴とする請求項１記載の配線固定具。
【考案の詳細な説明】
【技術分野】
【０００１】
本考案は、光ファイバ屋外線（ドロップ光ファイバ屋外線）、メタル屋外線（ドロップ金属屋外線）などの屋外線を、屋外の壁面に沿って配線し固定する際に使用される配線固定具に関する。
【背景技術】
【０００２】
電話線を端子函から電話加入者の宅内保安器に引込み配線する際には、一般に、メタル屋外線が、建物の屋外の壁面に沿って配線され、宅内保安器を取り付けた屋外線引込み用ボードまで配線され固定される。メタル屋外線は、通常、下記特許文献１に記載されるような配線クリートを使用して把持され、壁面などに固定されている。
【０００３】
一方、近年、インターネット回線、光電話回線などにおいて、光ファイバケーブルを使用するケースが増しており、電話加入者の建物に、光ファイバ屋外線が引込み配線される場合が増加している。
【０００４】
現状では、光ファイバケーブルにより電話用の音声信号を送受信する場合でも、非常時の電話通話には、従前のメタル電話線を使用するため、光ファイバケーブルを導入した電話加入者の建物には、メタル屋外線と光ファイバ屋外線が共に引込み線として配線されることとなる。
【０００５】
このため、外部から建物内に引き込むためのメタル屋外線と光ファイバ屋外線が、建物の外壁などに沿って配線され、メタル屋外線、光ファイバ屋外線は、各々、配線クリートに把持され、各配線クリートはボード上に固定される。
【特許文献１】実開平５−５５４１１号公報
【考案の開示】
【考案が解決しようとする課題】
【０００６】
また、このような引込み用の屋外線には、メタル屋外線とドロップ光ファイバ屋外線に加え、アース線が配線される。このため、建物の外部壁面には、支持線を含むメタル屋外線及びドロップ光ファイバ屋外線に加え、アース線がそこに沿って配線されることとなり、各屋外線、支持線、及びアース線を固定するための配線クリートが、外部の壁面に固定される。
【０００７】
このために、多数の配線クリートが、屋外線、支持線、及びアース線などのために使用され、壁面に固定されるために、使用する配線クリートの数が非常に多くなると共に、配線作業が煩雑化する課題があった。また、多数の配線クリートが建物の外部壁面に固定され、外観として露出する形態となるため、建物における配線部分の外観が悪化しやすいという課題があった。
【０００８】
本考案は、上述の課題を解決するものであり、光ファイバ屋外線、メタル屋外線、アース線などの複数の屋外線を、まとめて良好に把持し、建物の外部壁面などに固定することができる配線固定具を提供することを目的とする。
【課題を解決するための手段】
【０００９】
本考案に係る配線固定具は、配線把持部材上にヒンジ部を介して押え蓋部が開閉可能に該配線把持部材と一体に設けられ、該押え蓋部の先端に係止爪が該配線把持部材側に係止可能に設けられ、該配線把持部材と該押え蓋部に固定孔が設けられた配線固定具において、該配線把持部材の上面と該押え蓋部の内側面に、第１の線材を把持する第１線材把持用凹部及び該第１の線材の支持線を把持する支持線用凹部と、第２の線材を把持する第２線材把持用凹部及び該第２の線材の支持線を把持する支持線用凹部が平行に設けられたことを特徴とする。
【００１０】
ここで、第１線材把持用凹部として、光ファイバ屋外線を把持する光ファイバ把持用凹部を形成することができる。また、第２線材把持用凹部として、メタル屋外線を把持するメタル線把持用凹部を形成することができる。
【００１１】
さらに、第１線材把持用凹部として、光ファイバ屋外線を把持する光ファイバ把持用凹部を形成し、且つ第２線材把持用凹部として、メタル屋外線を把持するメタル線把持用凹部を形成し、その光ファイバ把持用凹部とメタル線把持用凹部を、上記固定孔を挟んで該固定孔の両側に配置することができる。
【００１２】
上記第２の線材の支持線を把持する支持線用凹部は、アース線を把持可能に形成し、前記第１線材把持用凹部は、アース線を把持可能に形成することができる。
【考案の効果】
【００１３】
上記構成の配線固定具によれば、１個の配線固定具により、第１の線材と第２の線材を、そこに付属する支持線と共に把持す固定するため、従来のように、例えば光ファイバ屋外線用の配線クリートとメタル屋外線用の配線クリートを各々使用して光ファイバ屋外線とメタル屋外線を固定していた場合にくらべ、配線固定具の数を半分に減らすことができ、その取付工数も削減することができ、配線作業を簡単化することができる。また、建物の外部壁面に露出する配線クリート、配線固定具の数が半減するため、建物の外部壁面の外観を悪化させることが少なくなる。
【００１４】
さらに、アース線がある場合には、第２の線材の支持線に代えてアース線を支持線用凹部に把持させることができ、或は第１の線材に代えてアース線を第１線材把持用凹部に把持させことができるから、これによっても、配線固定具の数を半分に減らすことができ、その取付工数を削減し、配線作業を簡単化することができる。
【考案を実施するための最良の形態】
【００１５】
以下、本考案の一実施形態を図面に基づいて説明する。図１は配線固定具の正面図を、図２はその右側面図を、図３はその押え蓋部３を少し開いた状態の断面図を各々示している。また、図４はその押え蓋部３を開いた状態の正面図を、図５はその右側面図を、図６はその断面図を示し、さらに図７は開いた状態の平面図を、図８はその底面図を示している。
【００１６】
この配線固定具は、配線把持部材２と、その配線把持部材２の端部にヒンジ部４を介して開閉可能に一体形成された押え蓋部３とから構成され、配線把持部材２の上面に押え蓋部３を被せるように被嵌させて複数の屋外線やアース線を把持する構造である。
【００１７】
配線把持部材２の上面には、屋外線などを把持するために、光ファイバ把持用凹部２１とメタル線把持用凹部２２が左右横方向に、つまりヒンジ部４と平行に設けられている。また、押え蓋部３の下面つまり内側面にも、光ファイバ把持用凹部２１とメタル線把持用凹部２２に対応した位置に、同様の光ファイバ把持用凹部３１とメタル線把持用凹部３２が左右横方向に、つまりヒンジ部４と平行に形成されている。
【００１８】
配線把持部材２の光ファイバ把持用凹部２１には、光ファイバ屋外線に付属した支持線を把持するための支持線用凹部２１ａが隣接して設けられ、同様に、押え蓋部３にも、光ファイバ屋外線に付属した支持線を把持するための支持線用凹部３１ａが隣接して設けられている。さらに、配線把持部材２のメタル線把持用凹部２２には、メタル屋外線に付属した支持線を把持するための支持線用凹部２２ａが隣接して設けられ、同様に、押え蓋部３にも、メタル屋外線に付属した支持線を把持するための支持線用凹部３２ａが隣接して設けられている。
【００１９】
配線把持部材２の光ファイバ把持用凹部２１と押え蓋部３の光ファイバ把持用凹部３１には、例えば、外径２ｍｍの支持線付きの２心の光ファイバ屋外線（小径２ｍｍ、大径約３〜３．７ｍｍ）が収容されて把持されるが、支持線についてはより確実に把持可能な深さと幅に形成される。また、配線把持部材２のメタル線把持用凹部２２と押え蓋部３のメタル線把持用凹部３２には、例えば、その外径約２．８ｍｍの支持線付きのメタル屋外線（外径約４ｍｍ〜４．５ｍｍ）が収容され把持されるが、支持線についてはより確実に把持可能な深さと幅に形成される。
【００２０】
すなわち、図２、図３、図７に示すように、配線把持部材２の支持線用凹部２１ａ及び支持線用凹部２２ａには、支持線をより確実に押えて把持するために、長手方向に間隔をおいて複数の凸状爪部２１ｂ、２２ｂが突設されている。また、同様に、押え蓋部３の光ファイバ把持用凹部３１の支持線用凹部３１ａとメタル線把持用凹部３２の支持線用凹部３２ａには、上記凸状爪部２１ｂ、２２ｂに対応した位置に、間隔をおいて複数の凸状爪部３１ｂ、３２ｂが突設されている。これらの複数の凸状爪部２１ｂ、２２ｂ、３１ｂ、３２ｂは、先端を鋭角とした三角形断面を有した突条形に形成され、支持線をより確実に押えて把持するようにしている。
【００２１】
なお、図７に示す如く、光ファイバ把持用凹部２１、３１の内面にも、より小さく低い形状の凸状爪部が複数個設けられている。これにより、支持線の把持はより確実に行なわれ、光ファイバケーブルやメタルケーブルの心線には負荷がかからないようにしている。
【００２２】
さらに、配線把持部材２の中央に、固定ねじ又は固定釘を挿入するための固定孔７が形成され、固定孔７に対応した押え蓋部３の中央にも固定孔８が形成される。押え蓋部３の固定孔８には、固定ねじまたは固定釘の頭部を収容するための大径孔部が形成されている。また、押え蓋部３の固定孔８内側寄りは、薄肉部に十字スリットを入れた形状に形成され、押え蓋部３の固定孔８に差し込まれた固定ねじや固定釘が固定孔８内に保持可能な形状としている。
【００２３】
さらに、押え蓋部３の端部には、それを配線把持部材２の上に被せるようにそれを被嵌したとき、係止するための係止爪１０が突設される。そして、配線把持部材２の端部には、この係止爪１０が係止される係止受け部９が形成され、押え蓋部３の閉鎖・把持状態はそれらの係止によって確保される。このような押え蓋部３を有する配線把持部材２は、ポリエチレン、ポリプロピレン等の合成樹脂を用いて一体成形することができる。
【００２４】
このような構造の配線固定具は、例えばメタル屋外線４２を端子函から電話加入者の宅内保安器まで、光ファイバ屋外線４１と共に、建物の外部壁面に沿って配線する際、光ファイバ屋外線４１とアース線４３を共に配線する際、或はメタル屋外線４２とアース線４３を共に配線する際に使用される。配線する光ファイバ屋外線４１は、例えば２心の光ファイバケーブル４１ａと支持線４１ｂからなり、共に配線するメタル屋外線４２は、例えば４心のメタルケーブル４２ａと支持線４２ｂから構成される。
【００２５】
光ファイバ屋外線４１とメタル屋外線４２を配線する場合は、図９に示すように、２心の光ファイバケーブル４１ａを、配線把持部材２の光ファイバ把持用凹部２１内に入れ、その支持線４１ｂを支持線用凹部２１ａ内に入れる。さらに、４心のメタルケーブル４２ａを、配線把持部材２のメタル線把持用凹部２２内に入れ、その支持線４２ｂを支持線用凹部２２ａ内に入れる。
【００２６】
そして、配線把持部材２の上に押え蓋部３を被せるように閉じ、係止爪１０を係止受け部９に係止させて押え蓋部３を配線把持部材２上に被嵌させる。このとき、図９のように、押え蓋部３の光ファイバ把持用凹部３１が光ファイバケーブル４１ａの上を覆うように押え、支持線用凹部３１ａが支持線４１ｂの上を押える。さらに、メタル線把持用凹部３２がメタルケーブル４２ａの上を押え、支持線用凹部３２ａが支持線４２ｂの上を押え、これにより、光ファイバ屋外線４１とメタル屋外線４２は配線把持部材２と押え蓋部３の間に把持された状態となる。この状態で、図９、図１０のように、固定ねじ４４または固定釘を固定孔７，８に挿通させ、壁面などにねじ込みまたは打ち付けて配線固定具を壁面などに固定する。
【００２７】
このように、１個の配線固定具により、光ファイバ屋外線４１とメタル屋外線４２を、そこに付属した支持線４１ｂ、４２ｂと共に把持し固定するため、従来のように、光ファイバ屋外線用の配線クリートとメタル屋外線用の配線クリートを各々使用して光ファイバ屋外線４１とメタル屋外線４２を固定していた場合にくらべ、配線固定具の数を半分に減らすことができ、その取付工数も削減することができ、配線作業を簡単化することができる。また、建物の外部壁面に露出する配線クリート、配線固定具の数が半減するため、建物の外部壁面の外観を悪化させることが少なくなる。
【００２８】
一方、光ファイバ屋外線４１とアース線４３を配線する場合は、図１１に示すように、光ファイバケーブル４１ａを、配線把持部材２の光ファイバ把持用凹部２１内に入れ、その支持線４１ｂを支持線用凹部２１ａ内に入れる。さらに、アース線４３を、配線把持部材２の支持線用凹部２２ａ内に入れる。
【００２９】
そして、配線把持部材２の上に押え蓋部３を被せるように閉じ、係止爪１０を係止受け部９に係止させて、押え蓋部３を配線把持部材２上に被嵌させる。このとき、図１１のように、押え蓋部３の光ファイバ把持用凹部３１が光ファイバケーブル４１ａの上を覆うように押え、支持線用凹部３１ａが支持線４１ｂの上を押え、支持線用凹部３２ａがアース線４３の上を押える。これにより、光ファイバ屋外線４１とアース線４３は配線把持部材２と押え蓋部３の間に把持された状態となる。この状態で、図１１のように、固定ねじ４４または固定釘を固定孔７，８に挿通させ、壁面などにねじ込みまたは打ち付けて配線固定具を壁面などに固定する。
【００３０】
このように、１個の配線固定具により、光ファイバ屋外線４１とアース線４３とを共に把持し固定するため、従来のように、光ファイバ屋外線用の配線クリートとアース線用の配線クリートを各々使用して光ファイバ屋外線４１とアース線４３を固定していた場合にくらべ、配線固定具の数を半分に減らすことができ、その取付工数も削減することができ、配線作業を簡単化することができる。また、建物の外部壁面に露出する配線クリート、配線固定具の数が半減するため、建物の外部壁面の外観を悪化させることが少なくなる。
【００３１】
また、メタル屋外線４２とアース線４３を配線する場合は、図１２に示すように、アース線４３を、配線把持部材２の光ファイバ把持用凹部２１内に入れ、メタルケーブル４２ａを、配線把持部材２のメタル線把持用凹部２２内に入れ、その支持線４２ｂを支持線用凹部２２ａ内に入れる。
【００３２】
そして、配線把持部材２の上に押え蓋部３を被せるように閉じ、係止爪１０を係止受け部９に係止させて押え蓋部３を配線把持部材２上に被嵌させる。このとき、図１２のように、押え蓋部３の光ファイバ把持用凹部３１がアース線４３の上を押え、さらに、メタル線把持用凹部３２がメタルケーブル４２ａの上を押え、支持線用凹部３２ａが支持線４２ｂの上を押える。これにより、メタル屋外線４２とアース線４３は配線把持部材２と押え蓋部３の間に把持された状態となる。この状態で、図１２のように、固定ねじ４４または固定釘を固定孔７，８に挿通させ、壁面などにねじ込みまたは打ち付けて配線固定具を壁面などに固定する。
【００３３】
このように、１個の配線固定具により、メタル屋外線４２とアース線４３を共に把持し固定するため、従来のように、メタル屋外線用の配線クリートとアース線４３用の配線クリートを各々使用してメタル屋外線４２とアース線を固定していた場合にくらべ、配線固定具の数を半分に減らすことができ、その取付工数も削減することができ、配線作業を簡単化することができる。また、建物の外部壁面に露出する配線クリート、配線固定具の数が半減するため、建物の外部壁面の外観を悪化させることが少なくなる。
【図面の簡単な説明】
【００３４】
【図１】本発明の一実施形態を示す配線固定具の正面図である。
【図２】同配線固定具の右側面図である。
【図３】押え蓋部を約４５度開放した状態の断面図である。
【図４】押え蓋部を１８０度開放した状態の正面図である。
【図５】押え蓋部を１８０度開放した状態の右側面図である。
【図６】押え蓋部を１８０度開放した状態の断面図である。
【図７】押え蓋部を１８０度開放した状態の平面図である。
【図８】押え蓋部を１８０度開放した状態の底面図である。
【図９】使用状態を示す配線固定具の右側面図である。
【図１０】使用状態の配線固定具の平面図である。
【図１１】他の使用状態を示す配線固定具の右側面図である。
【図１２】さらに他の使用状態を示す配線固定具の右側面図である。
【符号の説明】
【００３５】
２      配線把持部材
３      蓋部
４      ヒンジ部
７      固定孔
８      固定孔
９      係止受け部
１０    係止爪
２１    光ファイバ把持用凹部
２１ａ  支持線用凹部
２２    メタル線把持用凹部
２２ａ  支持線用凹部
３１    光ファイバ把持用凹部
３１ａ  支持線用凹部
３２    メタル線把持用凹部
３２ａ  支持線用凹部
４１    光ファイバ屋外線
４１ａ  光ファイバケーブル
４１ｂ  支持線
４２    メタル屋外線
４２ａ  メタルケーブル
４２ｂ  支持線
４３    アース線
【図１】
0003123194.tif 000003
【図２】
0003123194.tif 000004
【図３】
0003123194.tif 000005
【図４】
0003123194.tif 000006
【図５】
0003123194.tif 000007
【図６】
0003123194.tif 000008
【図７】
0003123194.tif 000009
【図８】
0003123194.tif 000010
【図９】
0003123194.tif 000011
【図１０】
0003123194.tif 000012
【図１１】
0003123194.tif 000013
【図１２】
0003123194.tif 000014